(57)【要約】【課題】給湯管及び給水管と混合水栓との接続において、前記管体を曲げることなく混合水栓に接続し、また、両管体とも曲げることなく直状のままで配管して接続することにより複数の混合水栓を並べて設置する。【解決手段】給湯管と給水管とがそれぞれ接続される２つの継手３０を収容するボックス１であって、２つの継手３０の並び方向と略同一方向から、両管体が並列した状態で継手収容部内に挿通される挿通口６を設け、各継手３０の水栓取付部３９をボックス１の外方に臨ませる開口２７をそれぞれ形成し、両開口２７，２７のそれぞれの中心Ｏは、第１給湯管ＨＰ１、第１吸水管ＣＰ１の並び方向にずれた位置にそれぞれ形成した。また、両継手３０を挟んだ挿通口６とは反対側に、挿通口６から挿通した両管体とは別の、第２給湯管ＨＰ２及び第２給水管ＣＰ２が引き出される引出口７を形成した。【選択図】図９
2019002206.tif 000002
【特許請求の範囲】
【請求項１】
給湯管と給水管とからなる２つの管体がそれぞれ接続される２つの継手を収容するための継手収容部を備えた継手収容ボックスであって、
収容される前記２つの継手の並び方向と略同一方向から、前記両管体が並列した状態で前記継手収容部内に挿通される挿通口が設けられ、
収容される前記各継手の水栓取付部を前記ボックスの外方に臨ませる開口がそれぞれ形成され、
前記両開口のそれぞれの中心は、挿通される前記両管体の並び方向にずれた位置にそれぞれ形成されていることを特徴とする継手収容ボックス。
【請求項２】
前記両継手を挟んだ前記挿通口とは反対側に、前記挿通口から挿通された前記両管体とは別の、前記継手に接続される前記給湯管及び前記給水管の少なくとも一方が引き出される引出口が形成されていることを特徴とする請求項１に記載の継手収容ボックス。
【請求項３】
前記両開口の少なくとも一方には、該開口より大きい開口面を有する貫通孔が形成され、
該貫通孔は、前記開口を有する化粧カバーによって覆われていることを特徴とする請求項１または請求項２に記載の継手収容ボックス。
【請求項４】
前記両開口は、２つの前記貫通孔と、該貫通孔にそれぞれ着脱自在に取着された２つの前記化粧カバーと、により構成され、
前記各化粧カバーは、その取着向きを反転させることで、前記両開口のそれぞれの中心が、前記両管体の並び方向にずれた位置にそれぞれ形成される配置と、前記両開口のそれぞれの中心が、ともにいずれかの前記管体の軸心側にずれた位置に形成される配置と、に変更できることを特徴とする請求項３に記載の継手収容ボックス。
【請求項５】
請求項１乃至請求項４のいずれかに記載の継手収容ボックスと、内部に給湯管及び給水管の少なくとも一方からなる管体が収容される配管保護カバーと、からなり、
前記継手収容ボックスの挿通口に前記配管保護カバーが接続されるカバー接続部が形成されていることを特徴とする継手収容ボックスと配管保護カバーとの組付装置。
【請求項６】
前記配管保護カバーは、内部に配管された前記管体を保持する保持部を有し、前記両開口のそれぞれの中心は、それぞれ前記両管体のいずれかの軸心の延長線上に位置することを特徴とする請求項５に記載の継手収容ボックスと配管保護カバーとの組付装置。
【請求項７】
継手収容ボックスが備える継手収容部に、給湯管と給水管とがそれぞれ接続される２つの継手が収容され、
前記継手収容部に収容された前記２つの継手の並び方向と略同一方向であって一方の前記継手側に設けられた挿通口から、前記給湯管及び前記給水管が並列した状態で前記継手収容部内に挿通されて前記各継手の管接続部に接続され、
前記ボックスに形成された２つの開口から、前記各継手の水栓取付部が前記ボックスの外方にそれぞれ臨まされ、
前記各開口から臨む前記各水栓取付部が、前記給湯管及び前記給水管の並び方向にずれて配置され、前記各水栓取付部に混合水栓の湯接続部と水接続部とがそれぞれ接続されて該混合水栓が設置されていることを特徴とする混合水栓の設置構造。
【請求項８】
前記両継手を挟んだ前記挿通口とは反対側に引出口が形成され、該引出口から、前記挿通口から挿通されて前記継手に接続された前記管体とは別の管体が引き出されていることを特徴とする請求項７に記載の混合水栓の設置構造。
【請求項９】
請求項５または請求項６に記載された継手収容ボックス及び配管保護カバーと、混合水栓と、からなる混合水栓の設置構造であって、
前記配管保護カバーは直線状をなし、
前記継手収容ボックスに前記配管保護カバーが接続され、前記配管保護カバー内に配管された給湯管及び給水管が、該配管保護カバー内における軸心を維持したまま、前記継手収容ボックス内に収容された前記各継手にそれぞれ接続され、前記各継手に前記混合水栓の湯接続部及び水接続部がそれぞれ接続されており、      
前記各継手には、接続された前記両管体と同一の軸心を有する第２管接続部が設けられ、該各第２管接続部のそれぞれに第２管体が接続されており、
前記継手収容ボックスには、前記両継手を挟んだ前記挿通口とは反対側に前記第２管体が引き出される引出口が形成され、該引出口から引き出された前記第２管体が内部に収容された直状の第２配管保護カバーが、前記継手収容ボックスに接続されており、
前記第２管接続部に接続された前記第２管体は、前記第２管接続部の軸心を維持したまま、前記第２配管保護カバー内へと配管されていることを特徴とする混合水栓の設置構造。
【発明の詳細な説明】
【技術分野】
【０００１】
本発明は、給湯管と給水管とがそれぞれ接続される２つの継手を備え、混合水栓が取り付けられる継手収容ボックス、継手収容ボックスと配管保護カバー組付装置、及び混合水栓の設置構造に関するものである。
【背景技術】
【０００２】
台所、浴室等に設置される混合水栓は、給湯管と給水管とが継手収容ボックス内に収容された継手に接続され、継手の水栓取付部に混合水栓の湯接続部と水接続部とが接続されて取り付けられている。混合水栓が取り付けられる前記継手収容ボックスとしては、例えば特許文献１等に記載された技術が知られている。特許文献１に記載の継手収容ボックスは、基台と蓋体とからなり、図１１に示すように、給湯管ＨＰと給水管ＣＰとからなる２つの管体が並列した状態で継手収容ボックス７０内の２つの継手７２，７２にそれぞれ接続され、各継手７２には、混合水栓の湯接続部と水接続部とが接続されるようになっている。ここで、両継手７２，７２はいずれも、下側に配管された給湯管ＨＰの軸心Ｇ上に位置しており、給湯管ＨＰは図１１の左側の継手７２に接続されている。一方、上側に配管された給水管ＣＰは、基台７１の内部において緩い湾曲線状に曲げられ、上側の軸心Ｇ側の位置から下側の軸心Ｇ側に移行して図１１の右側の継手７２に接続されている。
【先行技術文献】
【特許文献】
【０００３】
【特許文献１】特開２００９−２３５７５９号公報
【発明の概要】
【発明が解決しようとする課題】
【０００４】
しかし、特許文献１に記載の継手収容ボックス７０は、上側に配管されてきた給水管ＣＰは基台７１の内部において上側の軸心Ｇ側の位置から下側の軸心Ｇ側に曲げられているので、混合水栓の設置において、右側の継手７２に接続するには、現場で加熱して曲げたり、工場等で予め曲げておく必要がある。また、これらの管体が湾曲させたり屈曲させることが困難な硬質樹脂管や金属管等からなる場合は、継手収容ボックス７０に接続できなかったり、屈曲されて下側の給湯管ＨＰを乗り越える別途の連結管を用意し、この連結管で直状の給水管ＣＰと右側の継手７２とを連結して曲げ配管する必要があった。加えて、給水管ＣＰは継手収容ボックス７０内で曲げられているので、水の通管抵抗が大きくなり、ウォーターハンマー現象が生じたり、給水管ＣＰ自身もその湾曲部、曲がり部に水の衝撃が加わって好ましくない。
【０００５】
また、銭湯等の公衆浴場やホテル、旅館等の浴場などにおいては複数の混合水栓が１列に並べて設置されている。この場合、特許文献１等に記載の、並列状態の２つの管体の上側に配管された給水管ＣＰが、基台７１の内部において緩い湾曲線状に曲げられて、上側の軸心Ｇ側の位置から下側の軸心Ｇ側に移行して図１１の右側の継手７２に接続される、従来の継手収容ボックス７０では、一つの配管系統で複数の混合水栓を並べて設置することはできなかった。すなわち、複数の混合水栓を１列に並べて設置するには、継手７２としてチーズ部材等を使用して、下側の給湯管ＨＰの先端部を継手７２に直線状に接続した後、この継手７２の反対側に、隣の混合水栓に湯を送り込むための別の給湯管ＨＰを接続して、隣の継手収容ボックス７０に送り配管することになる。しかし、上側の軸心Ｇ側から曲げられて下側の軸心Ｇ側に下がってきた給水管ＣＰが、継手７０の反対側に接続されて送り配管される給湯管ＨＰの配管進路を図１１に示すように塞ぐため、給湯管ＨＰをその先の隣の継手収容ボックス７０に送り配管することはできなかった。
【０００６】
そこで、本発明は、給湯管及び給水管からなる２つの管体と、混合水栓との接続において、前記管体を曲げることなく混合水栓に接続することができ、また、両管体とも曲げることなく直状のままで配管して接続することにより複数の混合水栓を並べて設置することのできる継手収容ボックス、継手収容ボックスと配管保護カバーとの組付装置との組付装置、及び混合水栓の設置構造の提供を課題とする。
【課題を解決するための手段】
【０００７】
請求項１の継手収容ボックスは、
給湯管と給水管とからなる２つの管体がそれぞれ接続される２つの継手を収容するための継手収容部を備えたものであって、
収容される前記２つの継手の並び方向と略同一方向から、前記両管体が並列した状態で前記継手収容部内に挿通される挿通口が設けられ、
収容される前記各継手の水栓取付部を前記ボックスの外方に臨ませる開口がそれぞれ形成され、
前記両開口のそれぞれの中心は、挿通される前記両管体の並び方向にずれた位置にそれぞれ形成されている。
ここで、「管体が挿通される挿通口」は、管体自体が挿通口に挿通されるものの他、管体自体は挿通口に挿通されてはいないものの継手の管接続部の一部が挿通口を通過しボックスの外方にはみ出したものをも含めた広義の「挿通口」を意味する。
【０００８】
これにより、両開口のそれぞれの中心は、両管体の並び方向にずれた位置にそれぞれ形成されているので、管体を継手収容ボックス内で曲げて他側の管体の軸心側に配管経路を変更することなく、両管体とも、挿通口から継手収容ボックス内に挿入した後そのまま直線状に配管してそれぞれの継手に接続することができる。
【０００９】
請求項１の継手収容ボックスは、前記両継手を挟んだ前記挿通口とは反対側に、前記挿通口から挿通された前記両管体とは別の、前記継手に接続される前記給湯管及び前記給水管の少なくとも一方が引き出される引出口が形成されたものとすることもできる。
【００１０】
これによれば、両管体を並列状態で継手収容ボックスの挿通口からそのまま直線状に挿入してチーズ等の継手に接続し混合水栓を設置するとともに、継手の反対側に別の管体を接続して継手収容ボックスの引出口から引き出し、次の水栓の継手収容ボックスに順次送り配管してその継手に接続することにより、複数の混合水栓を一定方向に並べて設置することができる。
【００１１】
また、請求項１の継手収容ボックスは、前記両開口の少なくとも一方に、該開口より大きい開口面を有する貫通孔が形成され、該貫通孔は、前記開口を有する化粧カバーによって覆われたものとすることもできる。
【００１２】
これによれば、少なくとも一方の開口には、これより大きく開口する貫通孔が形成されているので、各貫通孔において開口の中心がいずれの管体の軸心側に位置しても継手の水栓取付部を継手収容ボックスの外方に臨ませることができる。その一方で、貫通孔は大きく開口するため、内部の継手収容部が外部に露出し、見栄えが低下する。しかし、貫通孔は、開口を有する化粧カバーによって覆われるので、見栄えの低下を防ぐことができる。
【００１３】
更に、請求項１の継手収容ボックスは、
前記両開口は、２つの前記貫通孔と、該貫通孔にそれぞれ着脱自在に取着された２つの前記化粧カバーと、により構成され、
前記各化粧カバーは、その取着向きを反転させることで、前記両開口のそれぞれの中心が、前記両管体の並び方向にずれた位置にそれぞれ形成される配置と、前記両開口のそれぞれの中心が、ともにいずれかの前記管体の軸心側にずれた位置に形成される配置と、に変更できるものとすることもできる。
【００１４】
これによれば、選択により、請求項１の発明のように、両管体とも継手収容ボックスの挿通口から挿入した後そのまま直線状に配管してそれぞれの継手に接続することができるし、従来のように、一方の管体については、継手収容ボックス内で曲げて他側の管体の軸心側に配管経路を変更して継手に接続することもできる。
【００１５】
請求項５の継手収容ボックスと配管保護カバーとの組付装置は、
請求項１乃至請求項４のいずれかに記載の継手収容ボックスと、内部に給湯管及び給水管の少なくとも一方からなる管体が収容される配管保護カバーと、からなり、
前記継手収容ボックスの挿通口に前記配管保護カバーが接続されるカバー接続部が形成されたものである。
これによれば、請求項１乃至請求項４の発明に加え、配管保護カバーにより給湯管及び給水管を保護することができる。
【００１６】
請求項５の継手収容ボックスと配管保護カバーとの組付装置は、前記配管保護カバーは、内部に配管された前記管体を保持する保持部を有し、前記両開口のそれぞれの中心は、それぞれ前記両管体のいずれかの軸心の延長線上に位置するものとすることもできる。
これによれば、配管保護カバー内に配管された管体は、保持部により一定位置に保持され、それにより、両開口のそれぞれの中心は、両管体のいずれかの軸心の延長線上に安定して位置させることができる。
【００１７】
請求項７の混合水栓の設置構造は、
継手収容ボックスが備える継手収容部に、給湯管と給水管とがそれぞれ接続される２つの継手が収容され、
前記継手収容部に収容された前記２つの継手の並び方向と略同一方向であって一方の前記継手側に設けられた挿通口から、前記給湯管及び前記給水管が並列した状態で前記継手収容部内に挿通されて前記各継手の管接続部に接続され、
前記ボックスに形成された２つの開口から、前記各継手の水栓取付部が前記ボックスの外方にそれぞれ臨まされ、
前記各開口から臨む前記各水栓取付部が、前記給湯管及び前記給水管の並び方向にずれて配置され、前記各水栓取付部に混合水栓の湯接続部と水接続部とがそれぞれ接続されて該混合水栓が設置されたものである。
この発明は、請求項１の発明と同様に作用する。
【００１８】
請求項７の混合水栓の設置構造は、前記両継手を挟んだ前記挿通口とは反対側に引出口が形成され、該引出口から、前記挿通口から挿通されて前記継手に接続された前記管体とは別の管体が引き出されたものとすることもできる。
この発明は、請求項２の発明と同様に作用する。
【００１９】
請求項９の混合水栓の設置構造は、
請求項５または請求項６に記載された継手収容ボックス及び配管保護カバーと、混合水栓と、からなるものであって、
前記配管保護カバーは直線状をなし、
前記継手収容ボックスに前記配管保護カバーが接続され、前記配管保護カバー内に配管された給湯管及び給水管が、該配管保護カバー内における軸心を維持したまま、前記継手収容ボックス内に収容された前記各継手にそれぞれ接続され、前記各継手に前記混合水栓の湯接続部及び水接続部がそれぞれ接続されており、      
前記各継手には、接続された前記両管体と同一の軸心を有する第２管接続部が設けられ、該各第２管接続部のそれぞれに第２管体が接続されており、
前記継手収容ボックスには、前記両継手を挟んだ前記挿通口とは反対側に前記第２管体が引き出される引出口が形成され、該引出口から引き出された前記第２管体が内部に収容された直状の第２配管保護カバーが、前記継手収容ボックスに接続されており、
前記第２管接続部に接続された前記第２管体は、前記第２管接続部の軸心を維持したまま、前記第２配管保護カバー内へと配管されたものである。
この発明は、請求項２、８の発明と同様に作用する。
【発明の効果】
【００２０】
本発明は、継手収容ボックスの両開口のそれぞれの中心が、両管体の並び方向にずれた位置にそれぞれ形成されているので、両管体とも、継手収容ボックスの挿通口から挿入した後そのまま直線状に配管してそれぞれの継手に接続することができる。これにより、一方の管体が継手収容ボックス内で他側の管体の軸心側に曲げられ配管経路が変更されて継手に接続される従来の継手収容ボックスの場合には、管体を予め加熱したりして曲げる必要があり、また、管体が硬質樹脂管や金属管等からなる場合には曲げ加工が困難なために継手に接続できなかったり、管体の曲がり部で流体の通管抵抗が大きくなるとともに、ウォーターハンマー現象が生じることもあるなどの不具合を生じるが、本発明ではそのような不具合が解消される。
【００２１】
また、両管体を並列状態で継手収容ボックスの挿通口からそのまま直線状に挿入して継手に接続して混合水栓を設置するとともに、継手の反対側に別の管体を接続して継手収容ボックスの引出口から引き出し、次の継手収容ボックスに順次送り配管してその継手に接続することにより、複数の混合水栓を一定方向に並べて設置することができる。その結果、銭湯、ホテルや旅館等の浴場などで一つの配管経路で複数の水栓を並べて設置することができる。
【図面の簡単な説明】
【００２２】
【図１】本発明の第一実施形態の継手収容ボックスの分解斜視図である。
【図２】図２の基台への継手の取付状態を示す斜視図である。
【図３】図１の継手収容ボックスに収容される継手を示し、(a)は正面図、(b)は右側面図、(c)は(a)のＡ−Ａ切断線による断面図、(d)は(a)のＢ−Ｂ切断線による断面図である。
【図４】図１の基台の継手に２つの管体が接続された状態を示し、(a)は斜視図、(b)は平面図である。
【図５】図１の継手収容ボックスの基台及び配管保護カバーのベース部材のそれぞれに蓋体及びカバー部材が取り付けられた状態を示す斜視図である。
【図６】図５の配管保護カバーの側面図である。
【図７】図５の隙間閉塞板の斜視図である。
【図８】図１の継手収容ボックスに混合水栓が取り付けられる状態を示す斜視図である。
【図９】本発明の第二実施形態の継手収容ボックスを示し、(a)は基台の平面図、(b)は継手収容ボックスの左右両側に配管保護カバーが接続された組付装置の斜視図である。
【図１０】２つの管体が順次隣合う図９(a)の基台に送り配管された状態を示す平面図である。
【図１１】従来の継手収容ボックスの斜視図である。
【発明を実施するための形態】
【００２３】
〈第一実施形態〉
まず、本発明の第一実施形態の継手収容ボックスを図１乃至図８に基づいて説明する。
本発明の継手収容ボックス１は、給湯管ＨＰと給水管ＣＰとからなる２つの管体がそれぞれ接続される２つの継手３０，３０を収容するための継手収容部２を備えたものである。継手収容ボックス１は、収容される２つの継手３０，３０の並び方向と略同一方向から、両管体が並列した状態で継手収容部２内に挿通される挿通口６が設けられ、収容される各継手３０の水栓取付部３９をそれぞれ継手収容ボックス１の外方に臨ませる開口２７が形成され、両開口２７，２７のそれぞれの中心Ｏは、挿通される両管体の並び方向にずれた位置にそれぞれ形成されている。ここで、「２つの継手３０の並び方向と略同一方向」とは、つまりは、本実施形態において、「２つの継手３０が並んで収容された横長矩形状のボックス１の長軸方向」のことであるが、継手収容ボックス１の長軸と継手３０の並び方向とは僅かに斜め方向にずれているので、「略同一方向」と表現した。
【００２４】
そして、継手収容ボックス１と、内部に給湯管ＨＰ及び給水管ＣＰが収容される配管保護カバー４０と、両者を接続するカバー接続部と、によって、継手収容ボックス１と配管保護カバー４０との組付装置が構成されている。
更に、各水栓取付部３９に混合水栓６０の湯接続部６６と水接続部６７とがそれぞれ接続されて混合水栓６０が設置されたものは、混合水栓６０の設置構造を構成している。
以下、各構成部材について詳細に説明する。
【００２５】
図１及び図２において、継手収容ボックス１（以下、単に「ボックス１」という。）は、壁面に固定される基台１０と、基台１０の上部全体を覆うように基台１０に組み付けられた蓋体２０と、から成り、横長矩形の箱状に形成されている。基台１０において、図２の左側には第１継手３１を収容する第１継手収容空間部３が形成され、右側には第２継手３２を収容する第２継手収容空間部４が形成されており、その両者間にはこれらを繋ぐ連通空間部５が形成されている。第１継手収容空間部３及び第２継手収容空間部４は、ボックス１の継手収容部２を構成している。
【００２６】
基台１０は、合成樹脂により略横長矩形状に形成され、長手方向の中央部における幅方向両側には内部側に凹んだ基台嵌合凹部１１が形成されている。基台１０は４隅に設けられたビス挿通孔１２にビスを挿通して壁面に取り付けられるようになっている。基台１０における第１継手収容空間部３、第２継手収容空間部４の部分の底壁１３にはそれぞれ第１継手３１、第２継手３２がビスを使用して取り付けられる。両基台嵌合凹部１１，１１には、一対の係合部１４，１４が設けられ、各係合部１４は係合爪１４ａを有している。
【００２７】
一方、基台１０に被せて組み付けられる蓋体２０は、合成樹脂により一面が開口する横長箱形状に形成され、上面２１と４箇所の側面２２とを有し、長手方向の中央部における幅方向両側は内部側に凹んだ蓋体嵌合凹部２３が形成されている。蓋体２０の正面部には内部の第１継手収容空間部３、第２継手収容空間部４に貫通する長円形の貫通孔２４が左右に一対設けられ、貫通孔２４は、これに化粧カバー２５が取り付けられることによって一部が閉塞されている。なお、貫通孔２４の内部側の周縁には、貫通孔２４の強度を確保するため、僅かに内部側に突出する補強フランジ２４ａが周縁全長に至って設けられている。また、蓋体２０の左側の側面２２には略矩形状の挿通口６が形成されている。挿通口６はノックアウト閉塞板を打ち抜くことによって形成されている。但し、挿通口６は、成形時に予め形成しておいてもよい。なお、図１の蓋体２０の上側の側面２２及び右側の側面２２にもノックアウト閉塞板が形成されている。
【００２８】
蓋体２０の貫通孔２４に取り付けられる化粧カバー２５は、図１に示すように、合成樹脂により長円平板形状に形成されており、長手方向のいずれかに偏心した位置に丸孔からなる開口２７が設けられている。開口２７は、継手３０の水栓取付部３９をボックス１の外方に臨ませ得る内径に形成されているとともに、化粧カバー２５は、開口２７の部分を除いて貫通孔２４の全体を覆う大きさに形成されている。化粧カバー２５は、裏面において周縁の長軸側の辺及び短軸側の辺の各中間部に弾性片２５ａが立設され、各弾性片２５ａの先端には外側に向けて突出する掛止爪２５ｂが形成されている。また、化粧カバー２５の裏面の弾性片２５ａを除いた周縁の全体には、貫通孔２４の周縁の補強フランジ２４ａに沿う所定高さのフランジ２５ｃが立設されている。化粧カバー２５は、蓋体２０の正面側から貫通孔２４にあてがって弾性片２５ａ及びフランジ２５ｃを挿入することにより、弾性片２５ａの掛止爪２５ｂが貫通孔２４の補強フランジ２４ａの先端面に弾性的に掛止し取り付けられる。化粧カバー２５は、掛止爪２５ｂを化粧カバー２５の内部側に押し付けて掛止を解除でき、取り外して向きを変えたり、他の化粧カバー２５と交換することができる。
【００２９】
更に、両側の蓋体嵌合凹部２３の内面には、基台１０の一対の係合部１４，１４と弾性的に係合する一対の被係合部２６，２６が対向して設けられている。被係合部２６は、蓋体２０の側面２２と平行して突出する突出片２６ａに形成された係合孔２６ｂに基台１０の係合部１４の係合爪１４ａが弾性的に係合するようになっている。したがって、蓋体２０の蓋体嵌合凹部２３を両側から手で挟圧して内側に撓ませることにより、基台１０の係合部１４の係合爪１４ａが蓋体２０の被係合部２６の係合孔２６ｂから外れて、基台１０の係合部１４と蓋体２０の被係合部２６との係合が解除され、蓋体２０は、基台１０から取り外すことができる。
【００３０】
次に、第１継手収容空間部３及び第２継手収容空間部４内にそれぞれ収容された第１継手３１及び第２継手３２は、合成樹脂により、図３に示すように、基台１０の底壁１３と当接する略矩形状の第１挟持部材３３の湾曲凹部３３ａにチーズ部材３５が載置され、反対側から第２挟持部材３４がビスを介して取り付けられることにより、チーズ部材３５がこれらの挟持部材とで挟持されて形成されている。チーズ部材３５は、一端側に管体が内挿される円筒状の管接続部３６が形成され、他端側は栓部材３５ａによって流路が封止されている。また、チーズ部材３５は管接続部３６と直交して正面側に突出する水栓取付部３９が突設されている。したがって、チーズ部材３５は実質的にはエルボと同様に作用し、本実施形態においては、チーズ部材３５に替えてエルボを取り付けてもよい。水栓取付部３９は、外面が六角面に形成され、内部に円形の挿通孔が形成されていて、この挿通孔の内部に混合水栓６０の湯接続部６６や水接続部６７が挿入されて接続される。
【００３１】
第１挟持部材３３の湾曲凹部３３ａは、チーズ部材３５の円筒状の管接続部３６の外径と略同一の曲率半径の湾曲面に形成されている。第２挟持部材３４は、中央部分がチーズ部材３５の円筒状の管接続部３６の半分が収容される湾曲面に形成され、上下両端部にフランジが形成されたサドル部３４ａと、そのサドル部３４ａに直交して正面側に突出する六角形の管状に形成されチーズ部材３５の水栓取付部３９が内挿される突出管部３４ｂと、によって一体に形成されている。すなわち、継手３０は、チーズ部材３５が第１挟持部材３３と第２挟持部材３４との間に格納され、内部のチーズ部材３５のみを別種のものと取り替えできるようになっている。ここで、水栓取付部３９は、丸孔に形成され、その中心Ｏ’は、化粧カバー２５の開口２７の中心Ｏを通る中心線上に位置するようになっている。
【００３２】
次に、管体を覆ってこれを保護する配管保護カバー４０は、図４乃至図６に示すように、長尺平板状に形成され上面に管体を保持する保持部４４が形成されたベース部材４１と、ベース部材４１の全体を上方から覆うカバー部材４２と、で構成され、左右対称形状をなす。ベース部材４１は、長尺平板状の基板４３の上面に一対の保持部４４，４４が幅方向に並んだ状態で管体の軸方向に沿って設けられ、更に、各保持部４４は、幅方向に一対の保持片４５，４５で形成されている。一対の保持片４５，４５は、その隙間が、管体の直径より小さく形成され、管体が上方から強制的に押し込まれると、弾性的に拡開して内部に管体を収容し、両側から挟持して保持する。これにより、保持部４４内に収容された管体の軸心Ｇは、配管保護カバー４０の幅方向において一定位置に安定して保持され、ボックス１の開口２７は、常に両管体のいずれかの軸心Ｇの延長線上に位置する。外側の保持片４５の下端部には係合凹部４６が形成されている。このように形成されたベース部材４１は、合成樹脂により一体に形成されている。
【００３３】
一方、カバー部材４２は、合成樹脂により断面略コ字状に形成され、天板部４７と両側の側板部４８とからなり、左右対称形状をなす。両側板部４８，４８の各先端部の内面にはベース部材４１の係合凹部４６に弾性的に係合する係合凸部４９が内面側に突設されている。カバー部材４２は、上方からベース部材４１に向けて押し付けるだけでその係合凸部４９がベース部材４１の係合凹部４６に弾性的に係合し、ベース部材４１に取り付けることができる。
【００３４】
ボックス１の挿通口６と配管保護カバー４０の端部との間には隙間が形成され、この部分には合成樹脂からなる隙間閉塞板５０が取り付けられるようになっている。隙間閉塞板５０は、ボックス１と配管保護カバー４０とを接続するカバー接続部を構成し、図７に示すように、全体が略コ字板状に形成されている。隙間閉塞板５０のボックス１側の端部には、端面全体に至って内部側に直角に折り曲げられた第１フランジ５２が突設され、第１フランジ５２の先端からは閉塞板本体５１の壁面と平行する方向に折り曲げられた第２フランジ５３が突設されている。更に、第２フランジ５３の周方向両端部を除いた部分の端面からは、第１フランジ５２と平行する第３フランジ５４が外側に向けて突設されている。第１フランジ５２と第３フランジ５４との隙間は細溝に形成され、その細溝の間隔はボックス１の挿通口６の周縁の板厚と略同一に形成されている。隙間閉塞板５０は、ボックス１の蓋体２０の挿通口６に取り付けた後、蓋体２０を基台１０に取り付けると、配管保護カバー４０の端部の外面に嵌着され、これにより、ボックス１と配管保護カバー４０とが接続され、これらの部材間の隙間は閉塞される。
【００３５】
混合水栓６０は、図８に示すように、吐出口６２を有する水栓本体６１の両端部に取付脚６３の一端が回動自在に取り付けられ、ナット６４を締め付けることにより一定の回動角度に固定される。取付脚６３の他端には接続管６５が直交方向に設けられており、接続管６５には座金６８が嵌められている。この取付脚６３の部分は、クランク構造となっている。水栓本体６１の一端側の湯が流れる接続管６５は、給湯管ＨＰが接続されるボックス１内の第１継手３１の水栓取付部３９に接続される湯接続部６６となっており、他端側の水が流れる接続管６５は、給水管ＣＰが接続されるボックス１内の第２継手３２の水栓取付部３９に接続される水接続部６７となっている。
【００３６】
次に、このように構成されたボックス１を使用して混合水栓６０を設置する方法を説明する。
混合水栓６０を設置するには、予め、各継手３０をボックス１の基台１０の第１、第２継手収容空間部内にビスを使用してそれぞれ取り付けておくとともに、ボックス１の蓋体２０の２つの貫通孔２４，２４それぞれに化粧カバー２５を取り付けておく。このとき、図１の左側の化粧カバー２５は、その開口２７が貫通孔２４の下半部に位置するように取り付け、右側の化粧カバー２５は、その開口２７が貫通孔２４の上半部に位置するように取り付ける。
【００３７】
そして、まず、ボックス１の基台１０をビスを使用して壁面に固定する。また、配管保護カバー４０のベース部材４１をビスにより壁面に固定する。このとき、ベース部材４１は、図４に示すように、壁面において、その保持部４４に保持される各管体の軸心Ｇがボックス１内の各継手３０の円管状に形成された管接続部３６の軸心Ｇと一致する位置に固定する。
【００３８】
続いて、給湯管ＨＰの端部をボックス１の基台１０における挿通口６から挿入し、先端を第１継手３１の管接続部３６に接続し、給湯管ＨＰを配管保護カバー４０のベース部材４１の一対の保持片４５，４５の上部開口を拡開させつつ押し込んで保持させる。同様に、給水管ＣＰの端部を給湯管ＨＰと並列した状態でボックス１の挿通口６から挿入し、先端を第２継手３２の管接続部３６に接続し、給水管ＣＰを配管保護カバー４０のベース部材４１の他側の一対の保持片４５，４５に保持させる。このとき、第１継手３１の水栓取付部３９は給湯管ＨＰの軸心Ｇ側に取り付けられ、第２継手３２の水栓取付部３９は給水管ＣＰの軸心Ｇ側に取り付けられるので、給湯管ＨＰは直線状に配管されることは言うまでもなく、給水管ＣＰについても、ボックス１内で給湯管ＨＰの軸心Ｇ側に曲げられることなく、直線状に配管される。
【００３９】
その後、配管保護カバー４０のベース部材４１にカバー部材４２を被せ、ベース部材４１の係合凹部４６にカバー部材４２の係合凸部４９を係合させて組み付ける。そして、ボックス１の挿通口６に隙間閉塞板５０を取り付け、その状態で蓋体２０を基台１０に被せ、基台１０の係合部１４に蓋体２０の被係合部２６を係合させて組み付ける。すると、同時に隙間閉塞板５０が配管保護カバー４０のカバー部材４２の外面に嵌着され、ボックス１と配管保護カバー４０との隙間が閉塞される。
【００４０】
ボックス１と配管保護カバー４０とが接続固定され、両管体が直線状に並列した状態で各継手３０に接続されたら、ボックス１の正面側から混合水栓６０を取り付ける。それには、まず、いずれか一方の例えば水接続部６７である右側の取付脚６３の接続管６５をボックス１の右側の開口２７内の水栓取付部３９に取り付け、座金６８を締め付けて接続する。同様にして、いずれか他方の例えば湯接続部６６である左側の取付脚６３の接続管６５をボックス１の左側の開口２７内の水栓取付部３９に取り付け、座金６８を締め付けて接続する。
【００４１】
このとき、各継手３０の水栓取付部３９は上下方向にずれているために、右側の水接続部６７は給水管ＣＰの軸心Ｇ側にあり、左側の湯接続部６６は給湯管ＨＰの軸心Ｇ側にあって、両接続部は上下方向にずれているが、混合水栓６０の取付脚６３は水栓本体６１に対して回動させることができるので、取付脚６３を回動させつつ調整することにより水栓本体６１が水平状態となった時点でナット６４を締め付けて固定する。なお、混合水栓６０の水接続部６７及び湯接続部６６は互いに上下方向にずれて接続されているが、これらの接続箇所は水栓本体６１の後方にあって目立ちにくい箇所にあるため、外観上特に問題は生じない。以上により、混合水栓６０の設置が完了する。
【００４２】
このようにして、ボックス１に、カバー接続部としての隙間閉塞板５０を介して配管保護カバー４０が接続されたものは、ボックス１と配管保護カバー４０との組付装置を構成する。また、各継手３０の水栓取付部３９に混合水栓６０の湯接続部６６及び水接続部６７がそれぞれ接続されてボックス１に混合水栓６０が設置されたものは、混合水栓６０の設置構造を構成する。
【００４３】
次に、上記のように構成されたボックス１、ボックス１と配管保護カバー４０との組付装置、及び混合水栓６０の設置構造の作用を説明する。
【００４４】
ボックス１は、その両開口２７，２７のそれぞれの中心Ｏが、両管体の並び方向にずれた位置にそれぞれ形成されているので、両管体とも、ボックス１の挿通口６から挿入された後そのまま直線状に配管されてそれぞれの継手３０に接続される。これにより、一方の管体がボックス１内で他側の管体の軸心Ｇ側に曲げられて継手３０に接続される従来の継手収容ボックスの場合には、管体を予め加熱したりして湾曲させる必要があり、また、管体が硬質樹脂管や金属管等からなる場合には曲げ加工が困難なために使用できなかったり、管体の曲がり部で流体の通管抵抗が大きくなるとともに、ウォーターハンマー現象が生じるなどの不具合を生じるが、本実施形態のボックス１ではそのような不具合を生じない。
【００４５】
また、ボックス１の蓋体２０には、大きく開口する貫通孔２４が形成されているので、各貫通孔２４において開口２７の中心Ｏがいずれの管体の軸心Ｇ側に位置しても継手３０の水栓取付部３９を継手収容ボックス１の外方に臨ませることができる。一方で、貫通孔２４が大きく開口すると、内部の継手収容部２が外部に露出し、見栄えが低下することになるが、貫通孔２４は、開口２７を有する化粧カバー２５によって覆われるので、見栄えの低下を防ぐことができる。
【００４６】
更に、化粧カバー２５は、その取着向きを反転させることで、適宜選択により、本実施形態のように、両管体とも継手収容ボックス１の挿通口６から挿入後そのまま直線状に配管してそれぞれの継手３０に接続することができるし、従来のように、給水管ＣＰは、ボックス１内で曲げて給湯管ＨＰの軸心Ｇ側に配管経路を変更して継手３０に接続することもできる。
【００４７】
〈第二実施形態〉
次に、本発明の第二実施形態のボックス１、ボックス１と配管保護カバー４０との組付装置、及び混合水栓６０の設置構造を図９及び図１０に基づいて説明する。
第二実施形態のボックス１は、第一実施形態のボックス１の両継手３０を挟んだ挿通口６とは反対側に引出口７が形成され、この引出口７からは、挿通口６から挿通された両管体とは別の、継手３０の反対側に接続される給湯管ＨＰ及び給水管ＣＰが引き出されるものである。
【００４８】
具体的には、継手３０は、第１挟持部材３３と第２挟持部材３４とでチーズ部材３５が挟持されて成る。第二実施形態のチーズ部材３５は、両側部にそれぞれ管体が内挿される円筒状の同径の第１管接続部３７と第２管接続部３８とが形成され、両管接続部の中央に、両管接続部と直交して正面側に突出する水栓取付部３９が突設されている。第一実施形態においては、各継手３０が管接続部３６とは反対側の端部は栓部材３５ａで封止されているのとは異なり、第二実施形態においては、図９に示すように、各継手３０の第２管接続部３８に、挿通口６から挿通された管体（以下、「第１管体」という。）とは別の管体（以下、「第２管体」という。）が接続されている。
【００４９】
すなわち、図９の左側の第１継手３１は、第１管接続部３７に、挿通口５から挿通された管体の一つである第１給湯管ＨＰ１が接続され、第２管接続部３８に、第２管体の一つである第２給湯管ＨＰ２が接続されている。ここで、第１継手３１の第２管接続部３８は、第１管接続部３７と同一の軸心Ｇを有し、また、第２給湯管ＨＰとも同一の軸心Ｇを有している。また、図９の右側の第２継手３２は、第１管接続部３７に、挿通口５から挿通された管体の別の一つである第１給水管ＣＰ１が接続され、第２管接続部３８に、第２管体の別の一つである第２給水管ＣＰ２が接続されている。ここで、第２継手３２の第２管接続部３８は、第１管接続部３７と同一の軸心Ｇを有し、また、第２給水管ＣＰ２とも同一の軸心Ｇを有している。
【００５０】
ボックス１の引出口７には、挿通口６に取り付けられた隙間閉塞板５０と同じ隙間閉塞板５０が取り付けられ、更に、隙間閉塞板５０には第２配管保護カバー４０ｂが接続されている。第２配管保護カバー４０ｂは、挿通口６から挿通された第一実施形態の配管保護カバー４０である第１配管保護カバー４０ａと同様に直状に形成されており、その内部には引出口７から引き出された第２給湯管ＨＰ２と第２給水管ＣＰ２とからなる２つの直状の第２管体が収容されている。第２管接続部３８に接続された第２給湯管ＨＰ２及び第２吸水管ＣＰ２は、それぞれ第２管接続部３８の軸心Ｇを維持したまま、第２配管保護カバー４０ｂ内へと配管されている。
【００５１】
このように構成された第二実施形態のボックス１は、２つの第１管体を並列状態でボックス１の挿通口６からそのまま直線状に挿入して継手３０に接続し混合水栓６０を設置するとともに、継手３０の第２管接続部３８に２つの第２管体を接続して引出口７からそのまま直線状に引き出して、次の混合水栓６０が設置されるボックス１に送り配管してその継手３０に接続することができる。そして、順次、図１０に示すように、複数のボックス１、基台１０を一定の水平方向に並べて設置することができる。これにより、銭湯、ホテルや旅館等の浴場などで一つの配管経路で複数の混合水栓６０を水平位置に並べて設置することができる。なお、図１０において、ボックス１の蓋体２０、配管保護カバー４０は省略してある。また、図１０において、各ボックス１の引出口７から引き出された第２給湯管ＨＰ２、第２給水管ＣＰ２は、次の右隣のボックス１においては、挿通口６に挿通される部分は第１給湯管ＨＰ１、第１給水管ＣＰ１ともなる。
【００５２】
ところで、上記各実施形態の蓋体２０の両開口２７，２７は、蓋体２０の貫通孔２４に取り付けられた化粧カバー２５の上半部あるいは下半部に設けられているが、本発明を実施する場合には、これに限られるものではなく、両開口２７の両方あるいはいずれか一方は、化粧カバー２５を取り付けることなく蓋体２０に直接設けてもよい。但し、開口２７を化粧カバー２５に形成した場合は、予め複数種類の化粧カバー２５を用意しておいてこれを選定あるいは交換することにより、混合水栓６０などとの関係から、開口２７の大きさ、形成位置、向き等を自在に設定したり変更することができる。
【００５３】
また、両開口２７，２７のそれぞれの中心Ｏは、両管体の軸心Ｇの延長線上にそれぞれ位置しているが、挿通される両管体の軸心Ｇの延長線上に正確に位置していなくてもよく、管体の軸心Ｇの延長線上から僅かに上方または下方にずれた位置にあってもよい。
【００５４】
更に、上記各実施形態において、左側の継手３０はボックス１内の下部側に取り付けられ、右側の継手３０は上部側に取り付けられているが、逆に、左側の継手３０はボックス１内の上部側に取り付け、右側の継手３０は下部側に取り付けてもよい。
【００５５】
そして、第二実施形態のボックス１の引出口７からは、第２給湯管ＨＰ２及び第２給水管ＣＰ２が引き出されているが、いずれか一方のみを引き出してもよい。この場合、送り配管により次に水平方向に並べられる水栓は、混合水栓６０ではなく単一水栓となる。
【００５６】
加えて、上記各実施形態の第１継手３１の第１管接続部３７及び第２継手３２の第２管接続部３８は、ボックス１内に完全に収容されているが、一部がボックス１の挿通口６あるいは引出口７から管体の軸心Ｇに沿って外方に飛び出したものであってもよい。
【００５７】
なお、言うまでもないが、上記各実施形態においては、給湯管ＨＰを第１継手３１に接続し、給水管ＣＰを第２継手３２に接続したものを示しているが、逆に、給湯管ＨＰを第２継手３２に、給水管ＣＰを第１継手３１に接続してもよい。
【符号の説明】
【００５８】
１  （継手収容）ボックス             ３９  水栓取付部
２  継手収容部                       ４０  配管保護カバー
３  第１継手収容空間部               ４０ｂ  第２配管保護カバー
４  第２継手収容空間部               ４４  保持部
６  挿通口                           ５０  隙間閉塞板（カバー接続部）
７  引出口                           ６０  混合水栓
１０  基台                             ６６  湯接続部
２０  蓋体                             ６７  水接続部
２４  貫通孔                           Ｏ  開口の中心
２５  化粧カバー                       Ｇ  軸心
２７  開口                             ＨＰ  給湯管
３０  継手                             ＨＰ１  第１給湯管
３１  第１継手                         ＨＰ２  第２給湯管
３２  第２継手                         ＣＰ  給水管
３６  管接続部                         ＣＰ１  第１給水管
３７  第１管接続部                     ＣＰ２  第２給水管
３８  第２管接続部
【図１】
2019002206.tif 000003
【図２】
2019002206.tif 000004
【図３】
2019002206.tif 000005
【図４】
2019002206.tif 000006
【図５】
2019002206.tif 000007
【図６】
2019002206.tif 000008
【図７】
2019002206.tif 000009
【図８】
2019002206.tif 000010
【図９】
2019002206.tif 000011
【図１０】
2019002206.tif 000012
【図１１】
2019002206.tif 000013